(57)【要約】【課題】  左利き又は右利きの如何に拘わらず、左利きの人も右利きの人も共通して使用でき、有効に被切断物を切断することができるハサミを提供する。【解決手段】  柄部と刃部とを有する一対のハサミ構成部材と、これら一対のハサミ構成部材を軸支する軸部とを有するハサミであって、上記一対のハサミ構成部材の刃部が互いに圧接状態を維持できるように、付勢部材により付勢されている。上記付勢部材は、上記一対の刃部を、刃部の厚さ方向において互いに圧接させうるスプリングワッシャであり、  上記スプリングワッシャは、上記支軸に装着され、一方の刃部の外側面部と上記支軸の端部との間に配置されている。【選択図】  図１
2006181036.tif 000002
【特許請求の範囲】
【請求項１】
柄部と刃部とを有する一対のハサミ構成部材と、これら一対のハサミ構成部材を軸支する軸部とを有するハサミであって、
上記一対のハサミ構成部材の刃部が互いに圧接状態を維持できるように、付勢部材により付勢されていることを特徴とするハサミ。
【請求項２】
上記付勢部材は、上記一対の刃部を、刃部の厚さ方向において互いに圧接させうるスプリングワッシャであることを特徴とする請求項１記載のハサミ。
【請求項３】
上記スプリングワッシャは、上記支軸に装着され、一方の刃部の外側面部と上記支軸の端部との間に配置されていることを特徴とする請求項２記載のハサミ。
【請求項４】
上記支軸はリベットであって、上記リベットは、一対の刃部の厚さ寸法よりも大きい長さ寸法に形成されると共に、両端部にはフランジ部が形成され、上記スプリングワッシャは一方のフランジ部と一方の刃部との間に介装されていることを特徴とする請求項2及び３記載のハサミ。
【請求項５】
上記ハサミは、事務用品として販売されるハサミであることを特徴とする請求項１，２，３又は４記載のハサミ。
【請求項６】
上記ハサミは、子供用のハサミであることを特徴とする請求項１，２，３または４記載のハサミ。
【請求項７】
上記ハサミは家庭用のハサミであることを特徴とする請求項１，２，３又は４記載のハサミ。
【発明の詳細な説明】
【技術分野】
【０００１】
本発明はハサミに係り、特に、右利きの人も、左利きの人も共通して不都合なく使用しうるハサミに関する。
【背景技術】
【０００２】
一般に販売されているハサミ、特に、事務用、家庭用及び子供用のハサミには右利き用のハサミと左利き用のハサミとがある。右利き用のハサミと左利き用のハサミとが製造販売されている理由は以下のとおりである。
【０００３】
ハサミは、柄部と刃部とを有する一対のハサミ構成部材により構成され、上記一対のハサミ構成部材は、上記柄部と刃部の中間部において相互に支軸により回動可能に軸着されている。
【０００４】
そして、ハサミを使用する場合には、一方のハサミ構成部材の輪状に形成された柄部の中に親指を挿通すると共に、他方のハサミ構成部材の輪状に形成された柄部の中にその他の指を挿通し、手のひらを握るような動作を行う。
【０００５】
この場合、右利きの人がハサミを使用する場合、ハサミの幅方向を縦に使用した場合には、上記親指は、柄部を使用者の前面方向に向かって左方寄りへ押し出すような運動を行い、その他の指は柄部を右方寄りへ引き込むような運動を行うことになる。
【０００６】
また、左利きの人がハサミを使用する場合、ハサミを幅方向を縦に使用した場合には、柄部を右方寄りへ押し出すような運動を行い、その他の指は柄部を左方寄りへ引き込むような運動を行うことにる。
【０００７】
その結果、上記支軸より前方に配置されている刃部には、上記支軸を支点として柄部とは逆方向へ変位するベクトルが働くことから、右利きの人が使用した場合は、刃部には右方寄りへ変位させる力が作用し、その他の指を挿通した柄部と一体の刃部には左方寄りへ変位させる力が作用することになる。
【０００８】
一方、左利きの人がハサミを使用する場合には、親指を挿通した柄部と一体の刃部は左方寄りへ変位し、その他の指を挿通した柄部と一体の刃部は右方寄りへ変位することになる。
【０００９】
そして、紙などの被切断物を切断する場合、上記一対の刃部が離間していた場合には紙等の被切断物を効果的に切断することができないので、上記一対の刃部は互いに密着して摺り合わせられるようにして噛み合わせる必要がある。
【００１０】
そこで、右利き用のハサミにあっては、上記右手でハサミを使用する際の各指の機能を前提にして、切断時に上記一対の刃部を互いに密着して摺り合うように噛み合わせるようにするため、ハサミを幅方向を縦にして使用した場合には、親指を挿通した柄部と一体の刃部は左側に配置され、その他の指を挿通した柄部と一体の刃部は右側に配置されている。
【００１１】
右利き用のハサミを使用して紙等を切断する際に、親指とその他の指が上記ハサミの柄部を閉じる動作を行った場合には、左側に配置された親指が挿通されるハサミ構成部材の刃部には右方向への力が作用すると共に、右側に配置された他の指が挿通されるハサミ構成部材の刃部には左方向への力が作用することから、双方の刃部には互いに密接する方向への力が作用することから、良好に被切断部材を切断することができる。
【００１２】
この場合、上記右利き用のハサミを左利きの人が使用した場合には、上記の事情から、親指を挿通した柄部と一体の刃部には左方への力が働き、その他の指を挿通した柄部と一体の刃部は右方への力が働くことになることから、上記一対の刃部には互いに離間する方向に力が働くことから双方の刃部は互いに密接しにくく、その結果、紙などの被切断部材を効果的に切断することができない場合が多い。
即ち、図４に示すように、被切断物３２が布や紙のように、一定の剛性を有さず、比較的柔らかな素材の場合には、上記のように双方の刃部３０，３１が互いに密接していない場合には、双方の刃部３０，３１の間に被切断物３２が滑り込んでしまい、刃部３０，３１により被切断物３２を有効に切断することができない場合がある、という不具合が存していた。
このような事態は、図４に示すように、特に、刃部１４，１５が被切断物３２に対して直角ではなく斜めに切断する場合に発生しやすい。
【００１３】
上記のような事情は、事務用品又は文房具として机上に備えられ、紙などを切断するために使用されるハサミや、学校教育で使用される子供用のハサミ、及び家庭用のハサミに特に顕著である。
【００１４】
一方、植木等の剪定に使用される剪定バサミなどにあっては、切断する対象が木の枝等であり、紙や布等の柔らかい被切断部材とは異なり一定の剛性を有することから、切断にあたっては、刃部が木の枝に対して直角ではなく斜めに切断するような場合であっても、ある程度指や手の力により切断することができることから、右利き用として製造されたものを左利きの人が使用しても不都合なく切断することができる場合が多い。
【００１５】
そこで、事務用品又は文房具として机上に備えられるハサミ、学校教材用のはさみ、及び家庭用のハサミ等にあっては、右利き用のハサミとは別個に、左利きの人用のハサミが製造、販売されている。
【００１６】
この左利き用のハサミは、ハサミ構成部材の支軸を介しての配置構成が右利き用のハサミとは反対となり、親指を挿通する柄部と一体の刃部が、使用者の正面方向に向かって右側に配置され、その他の指を挿通する柄部と一体の刃部が左側に配置され、左利きの使用者が使用した場合に、上記一対の刃部が互いに圧接した状態で開閉動作しうるように構成されている。
【００１７】
左利きの人は右利きの人よりも数が少ないことから、殆どのハサミは右利き用として製造されており、製造メーカーにあっては、全体として数の少ない左利き用のハサミを製造するための別個に製造ラインを設けなければならず、製造コストが嵩むという不具合があった。
【００１８】
また、使用者の観点からは、例えば、家族や会社に左利きの人がいた場合には、右利き用のハサミと左利き用のハサミの双方を購入する必要があることから、煩雑であり、事務用費の支出が嵩む、という不具合があった。
さらに、学校教育の現場においては、近年、子供が左利きである場合に、個性尊重の観点から左利きであることを学校教育において矯正することを禁止する、という教育方針が以前にも増して強くなってきており、学校教育の現場で使用されるハサミにあっても、左利きの学童のために左利き用のハサミを購入して準備する必要があることから、学校においても上記同様の事情が存在する。
【００１９】
なお、従来より、特許文献１及び特許文献２に示されたように、刃部の支軸部にスプリングやスプリングワッシャを装着したハサミが公知であるが、上記スプリングは刃部の摺り合わせ面が磨耗して隙間が生じることによりガタツキが発生するのを防止するものであり、又、上記スプリングワッシャは支軸部に使用するボルトとナットの弛み止めとして使用されており、いずれも右利き及び左利きの双方の使用者が共に使用することができるハサミを提供するものではない。
【特許文献１】実開昭６０−１９２７５４号公報
【特許文献２】実開昭４８−９８４号公報
【発明の開示】
【発明が解決しようとする課題】
【００２０】
そこで本発明の課題は、右利き又は左利きの如何に拘わらず、左利きの人も右利きの人も共通して使用でき、有効に被切断物を切断することができるハサミを提供することにある。
【課題を解決するための手段】
【００２１】
上記課題を解決するために、請求項１記載の本発明に係るハサミは、柄部と刃部とを有する一対のハサミ構成部材と、これら一対のハサミ構成部材を軸支する軸部とを有するハサミであって、
上記一対のハサミ構成部材の刃部が互いに圧接状態を維持できるように、付勢部材により付勢されていることを特徴とするものである。
【００２２】
即ち、請求項１記載の本発明に係るハサミにあっては、付勢部材が一対のハサミ構成部材の刃部を互いに圧接するように構成されている。
【００２３】
また、請求項２記載の本発明に係るハサミは、上記付勢部材が、上記一対の刃部を、刃部の厚さ方向において互いに圧接させうるスプリングワッシャであることを特徴とする。
【００２４】
即ち、請求項２記載の本発明に係るハサミにあっては、スプリングワッシャが上記刃部を厚さ方向に押圧し、一対の刃部が圧接するように構成されている。
【００２５】
また、請求項３記載の本発明に係るハサミは、上記スプリングワッシャが、上記支軸に装着され、一方の刃部の外側面部と上記支軸の端部との間に配置されていることを特徴とする。
【００２６】
即ち、請求項３記載の本発明に係るハサミにあっては、上記スプリングワッシャが上記一方の刃部の外側面部と上記支軸の端部との間に挟まれるように配置され、一方の刃部の外側面部をスプリングワッシャが押圧することにより、その刃部を他方の刃部に圧接させるように構成されている。
【００２７】
また、請求項４記載の本発明に係るハサミは、上記支軸がリベットであって、上記リベットは、一対の刃部の厚さ寸法よりも大きい長さ寸法に形成されると共に、両端部にはフランジ部が形成され、上記スプリングワッシャは一方のフランジ部と一方の刃部との間に介装されていることを特徴とする。
【００２８】
即ち、請求項４記載の本発明に係るハサミにあっては、上記支軸であるリベットの一部が刃部より突出し、そのリベットの突出部に上記スプリングワッシャが装着され、そのスプリングワッシャの一方の端面がリベットの一方のフランジ部によって支持されると共に、スプリングワッシャの他方の端面が一方の刃部の外側面部によって支持されるように構成されている。
【００２９】
また、請求項５記載の本発明に係るハサミは、上記ハサミが、事務用品として販売されるハサミであることを特徴とする。
【００３０】
即ち、請求項５記載の本発明に係るハサミにあっては、事務用品として使用され、机上に備えられ、紙などの被切断物を切断するために使用される。
【００３１】
請求項６記載の発明にあっては、上記ハサミは、子供用であることを特徴とする。
従って、請求項６記載の発明にあっては、子供用のハサミとして、例えば、学校教育の現場で使用され、紙又は布等を切断するために使用される。
【００３２】
請求項７記載の発明にあっては、上記ハサミは家庭用のハサミであることを特徴とする。
従って、請求項７記載の発明にあっては、上記ハサミは各家庭において使用される汎用のハサミ及び裁縫バサミ、等が該当する。  
【発明の効果】
【００３３】
請求項１記載の本発明に係るハサミは、柄部と刃部とを有する一対のハサミ構成部材と、これら一対のハサミ構成部材を軸支する軸部とを有するハサミであって、上記一対のハサミ構成部材の刃部が互いに圧接状態を維持できるように、付勢部材により付勢されていることから、切断作業を行う場合に、一対の刃部が互いに摺り合うように噛み合って、右利きの人も左利きの人も不都合なく適切に紙や布等の柔らかな素材からなる被切断物を切断することができる。
【００３４】
従って、メーカーは特に左利き用のハサミを製造する必要がなく、又、ユーザーも左利き用のハサミを購入する必要がないことから、メーカー側の製造コスト及びユーザー側の事務経費を低減することができる。
【００３５】
また、請求項２記載の本発明に係るハサミは、上記付勢部材が、上記一対の刃部を、刃部の厚さ方向において互いに圧接させうるスプリングワッシャであることから、上記一対のハサミ構成部材における刃部を上記スプリングワッシャの弾発力を利用して容易に圧接状態にすることができる。
また、上記スプリングワッシャは構造が簡易で安価であり、その装着も容易なので、請求項１記載の効果に加えてハサミの製造コストを低減することができる。
【００３６】
また、スプリングワッシャの厚さ寸法はそれほど大きくないので、それを装着するために大きなスペースを取ってデザインが制約されるという不具合がなく、又、装着してもスプリングワッシャは目立たないので外観のデザインを損ねるおそれも少ない。
【００３７】
また、請求項３記載の本発明に係るハサミは、上記スプリングワッシャが、上記支軸に装着され、一方の刃部の外側面部と上記支軸の端部との間に配置されていることから、上記スプリングワッシャの装着部を特に刃部などに形成する必要がなく、構造がシンプルであって、製造コストを低減することができる。
また、上記スプリングワッシャは、装着した状態を外部から目視できるので、破損したり弾性力が失われた場合に確認でき、迅速に交換することができる。
【００３８】
また、請求項４記載の本発明に係るハサミは、上記支軸はリベットであって、上記リベットは、一対の刃部の厚さ寸法よりも大きい長さ寸法に形成されると共に、両端部にはフランジ部が形成され、上記スプリングワッシャは一方のフランジ部と一方の刃部との間に介装されていることから、支軸としてボルトを用いた場合のようにナットが弛んでガタツキが発生する等の不具合がない。
【００３９】
また、支軸としてボルトを用いた場合は、ナットが外れてスプリングワッシャも外れてしまうという不具合もあるが、本発明に係るハサミは上記支軸としてリベットが使用され、上記リベットの脚部先端はかしめられフランジ部に形成されることから、スプリングワッシャが意に反して外れることもない。
【００４０】
また、請求項５記載の本発明に係るハサミは、上記ハサミは、事務用品として販売されるハサミであって、双方の刃部が互いに圧接状態を維持することから、紙等の剛性を有さない被切断物を切断する場合に、右利き又は左利きの如何に拘わらず不都合なく使用することができる。
【００４１】
即ち、剪定バサミのように、切断対象が木の枝等であって一定の剛性を有する場合には、右利き用のハサミを左利きの使用者が使用することにより双方のの刃部が圧接状態になく多少離間していた場合であっても、力任せに切断しても切断可能な場合が多く、不都合なく使用できるので、一対の刃部を付勢部材により常時圧接状態とする切実な必要性は存在しない。
【００４２】
しかしながら、被切断部材が所定の剛性を有さない、紙や布である場合には、双方の刃部が圧接状態にない場合には、上記のように、双方の刃部の間に被切断部材が入り込んでしまい、切断不可能となる場合が多い。
従って、布や紙を切断するハサミの場合には、一対の刃部を付勢部材により常時圧接状態とすることが必要であり、また、圧接状態とした場合の効果が特に顕著である。
【００４３】
請求項６記載の発明にあっては、近年、学校教育において、教師に対し、子供の左利きを矯正することを禁止する指導を行う学校が増えていることから、各学校共に左利き用の児童のために左利き用のハサミを購入する必要が出てきているが、本発明によれば、左利きの児童であっても、右利きの児童と同一のハサミを無理なく使用することができるため、左利き用のハサミを学校側が購入する必要がなくなる。
【００４４】
その結果、各学校における教材費を低減することができ、また、左利き用のハサミを別個に保管する必要もなくなり、教育現場において、学童に対して、左利き用のハサミと右利き用のハサミとを区別して配布する煩雑さを回避することができる。
【００４５】
請求項７記載の発明にあっては、家庭において使用する、汎用のハサミ又は裁縫用のハサミにあっても、紙又は布等の、剛性を有さない、比較的柔らかな素材の被切断物を切断する場合に、右利き又は左利きの如何に拘わらず、容易に被切断物を切断することが可能となる。
【発明を実施するための最良の形態】
【００４６】
以下、図面を用いて本発明の実施の形態について説明する。
本実施の形態に係るハサミ１１は、図１及び図３に示すように、柄部１２，１３と刃部１４，１５とを有する一対のハサミ構成部材１６，１７と、これら一対のハサミ構成部材１６，１７を軸支する軸部１８とを有するハサミ１１であって、上記一対のハサミ構成部材１６，１７の刃部１４，１５が互いに圧接状態を維持できるように、付勢部材１９により付勢されている。
また、上記付勢部材１９は、図３に示すように、上記一対の刃部１４，１５を、刃部１４，１５の厚さ方向において互いに圧接させうるスプリングワッシャ２０により構成されている。
【００４７】
また、上記スプリングワッシャ２０は、図１及び図２に示すように、上記軸部１８を構成する支軸２１に装着され、一方の刃部１５の外側面部と上記支軸２１の端部との間に配置されている。
【００４８】
また、図３に示すように、上記支軸２１はリベット２２であって、上記リベット２２は、一対の刃部１４，１５の厚さ寸法よりも大きい長さ寸法に形成されると共に、両端部にはフランジ部２３，２４が形成され、上記スプリングワッシャ２０は一方のフランジ部２３と一方の刃部１５との間に介装されている。
また、上記ハサミ１１は、事務用品として販売されるハサミ１１であって、紙を切断しうるように形成されている。
【実施例１】
【００４９】
図示した実施例に係るハサミ１１は、紙等を切断対象となすもので、事務用品として文房具店などにおいて販売されるものである。
【００５０】
上記ハサミ１１は、図１及び図３に示すように、柄部１２，１３と刃部１４，１５とを有する一対のハサミ構成部材１６，１７を有している。
【００５１】
上記一対のハサミ構成部材１６，１７における上記柄部１２，１３は、プラスチックを素材として、図１及び図３に示すように、複数本の指を挿通可能な長円状の指通し孔部２５，２６を有する輪状に形成されている。
【００５２】
また、上記一対のハサミ構成部材１６，１７における上記刃部１４，１５はステンレスにより形成され、図１及び図３に示すように、その基端部が上記柄部１２，１３と接合されている。
【００５３】
上記一対のハサミ構成部材１６，１７は、図１及び図３に示すように、長さ方向の略中間部となる上記刃部１４，１５が軸部１８により回動可能に軸支されている。
【００５４】
上記軸部１８は支軸２１により構成され、図３に示すように、その支軸２１は金属製のリベット２２により形成されている。
【００５５】
上記リベット２２は、図３に示すように、棒状部２７の一端にフランジ部２３を有し、上記棒状部２７の先端は、図２に示すように、かしめ等の塑性加工を行うことによりフランジ部２４を形成可能としている。
なお、上記リベット２２の上記棒状部２７は、一対の刃部１４，１５の厚さ寸法よりも大きい長さ寸法に形成されている。
【００５６】
即ち、上記一対のハサミ構成部材１６，１７は、図３に示すように、長さ方向の略中間部となる上記刃部１４，１５に通孔２８，２９が形成され、その通孔２８，２９に上記リベット２２の棒状部２７が挿通されることにより回動可能に軸支され、これにより、上記一対の刃部１４，１５が開閉可能に構成されている。
【００５７】
上記一対のハサミ構成部材１６，１７の刃部１４，１５は、図１及び図２に示すように、付勢部材１９により付勢されることにより、互いに圧接状態を維持して、切断作業を行う場合に互いに摺り合わされるように噛み合わされている。
【００５８】
また、上記付勢部材１９には、図３に示すように、金属製のスプリングワッシャ２０が使用されている。
【００５９】
上記スプリングワッシャ２０は、図３に示すように両端部が僅かに離間して重なり合った略リング状に形成され、厚さ方向に弾性変形しうるように形成されている。
【００６０】
上記スプリングワッシャ２０は、図１及び図２に示すように、上記軸部１８を構成する支軸２１に装着され、一方の刃部１５の外側面部と上記支軸２１の端部との間に配置されている。
【００６１】
即ち、図１及び図２に示すように、上記スプリングワッシャ２０は上記リベット２２の棒状部２７の外周に装着され、上記スプリングワッシャ２０は上記リベット２２の一方のフランジ部２３と、上記一方の刃部１５との間に介装されている。
【００６２】
上記リベット２２の棒状部２７の先端部は上記刃部１４，１５の通孔２８，２９を貫通して突出し、同突出部はかしめられることにより、図２に示すように、フランジ部２４が形成されている。
【００６３】
なお、上記ハサミ１１は、図１に示すように、元来、右利き用として形成され、ハサミを幅方向を縦にして使用する場合には、親指を挿通する柄部１２と一体の刃部１４は、使用者の前面方向に向かって左側に配置され、その他の指を挿通する柄部１３と一体の刃部１５は右側に配置されているが、逆に配置された左利き用として形成されていても構わない。
【００６４】
次に、上記実施例の作用について説明する。  
まず、上記実施例のハサミ１１において上記スプリングワッシャ２０が装着されていない場合は、上記ハサミ１１は元来、右利き用として形成されているので、これを左利きの人が使用した場合には、親指を挿通する柄部１２と一体の刃部１４には左方への力が働き、その他の指を挿通する柄部１３と一体の刃部１５は右方への力が働くことになることから、上記一対の刃部１４，１５には互いに離間する方向に力が働いて、双方の刃部１４，１５は互いに密接しにくく、その結果、特に、紙や布などの、剛性を有さない被切断部材を効果的に切断することができない。
【００６５】
これに対し、上記スプリングワッシャ２０が装着された上記実施例に係るハサミ１１の場合は、上記一対のハサミ構成部材１６，１７の刃部１４，１５が厚さ方向において互いに圧接状態を維持できるように、スプリングワッシャ２０により付勢されていることから、切断作業を行う場合に、一対の刃部１４，１５が互いに摺り合うように噛み合うことができる。従って、右利きの人も左利きの人も不都合なくスムーズに紙、布等の被切断物を切断することができる。
【００６６】
その結果、ハサミの製造メーカーは特に左利き用のハサミを製造する必要がなく、又、ユーザーも特に左利き用のハサミを購入する必要がないことから、ハサミ製造メーカーの製造コスト及び使用者の事務経費等を低減することができる。
【００６７】
また、上記ハサミ１１は、事務用品として販売されるハサミであって、紙を切断しうるように形成されているため、上記の効果が極めて顕著であり、紙などに引かれた線などに沿って、左利きの人でも右利きの人でも、正確に不都合なく切断することができる。
【００６８】
即ち、剪定バサミのように切断対象が木の枝等の場合には、被切断物が一定の剛性を有することから、右利き用のハサミを左利きの人が使用することにより一対の刃部が圧接していない場合であっても、例えば、刃部１４，１５が木の枝に対して直角に当接していない場合であっても、力任せに切断できる場合が多く、不都合なく使用できるので、一対の刃部を付勢部材により常時圧接状態とする必要性は少ない。
【００６９】
しかしながら、紙や布等の、被切断物に一定の剛性がない場合には、上記のように、被切断物が双方の刃部１４，１５が圧接状態にない場合には、双方の刃部１４，１５の間に被切断物が入り込んでしまうことが多い。
特に、このような事態は、刃部１４，１５が被切断部材に対して直角ではなく斜めに当接して切断する場合に多い。
従って、右利き用のハサミを左利きの使用者が使用した場合には、双方の刃部１４，１５が圧接状態とならないことから、このような事態を防止するために、上記のように、一対の刃部１４，１５をスプリングワッシャ２０により常時圧接状態とする効果が特に顕著である。
【００７０】
また、上記一対の刃部１４，１５を、その刃部１４，１５の厚さ方向において互いに圧接させうる付勢部材１９として、構造が簡単で安価であり、かつ装着も容易なスプリングワッシャ２０が用いられていることにより、製造コストを低減することができる。
また、スプリングワッシャ２０の厚さ寸法はそれほど大きくないので、それを装着するために大きなスペースを取ってデザインが制約されるという不具合がない。
【００７１】
また、上記スプリングワッシャ２０が、上記支軸２１としての上記リベット２２に装着され、一方の刃部１５の外側面部と上記リベット２２の一方のフランジ部２３との間に配置されていることから、上記スプリングワッシャ２０を装着するために例えば刃部１４，１５に凹部などを形成する必要がない。従って、ハサミ１１の構造をシンプルにして、製造コストを低減することができる。
【００７２】
また、上記支軸２１としてリベット２２が用いられたことにより、支軸２１としてボルトを用いた場合のようにナットが弛んでガタツキが発生する等の不具合を防止できる。
【００７３】
また、支軸としてボルトを用いた場合は、ナットが外れてスプリングワッシャも外れてしまうという不具合もあるが、本実施例のハサミ１１のごとく上記支軸２１としてリベット２２が使用され、上記リベット２２の先端はかしめられフランジ部２４に形成されることから、スプリングワッシャ２０が意に反して外れることもない。
【００７４】
なお、本実施例にあっては、事務用品としてのハサミを例に説明したが、上記実施例に限定されず、学校において学校教育に使用される学校教材としてのハサミ又は家庭において使用される汎用のはさみ、もしくは裁縫用のハサミに関しても適用することができる。
【産業上の利用可能性】
【００７５】
本発明は、ハサミ、特に、剪定バサミ等の屋外で使用されるハサミに比して、柔らかな素材を被切断物を切断するために使用されるハサミ、即ち、事務用品としてのハサミ、学校教育に使用される教材用のはさみ又は家庭用のハサミ等に広く適用可能である。
【図面の簡単な説明】
【００７６】
【図１】本発明の実施例に係るハサミを示す斜視図である。
【図２】図１のＡ−Ａ線における断面図である。
【図３】本発明の実施例に係るハサミの組立前の状態を示す斜視図である。
【図４】刃部が圧接状態にない場合に、比較的柔らかな素材からなる被切断物を切断する場合の不具合を一般的に示す説明断面図である。
【符号の説明】
【００７７】
１１  ハサミ
１２  柄部
１３  柄部
１４  刃部
１５  刃部
１６  ハサミ構成部材
１７  ハサミ構成部材
１８  軸部
１９  付勢部材
２０  スプリングワッシャ
２１  支軸
２２  リベット
２３  フランジ部
２４  フランジ部
２５  指通し孔部
２６  指通し孔部
２７  棒状部
２８  通孔
２９  通孔
３０  刃部
３１  刃部
【図１】
2006181036.tif 000003
【図２】
2006181036.tif 000004
【図３】
2006181036.tif 000005
【図４】
2006181036.tif 000006